(57)【特許請求の範囲】
【請求項１】
ファンを内蔵し正面に通風孔を有する本体筐体と、複数の通風孔を有し上記本体筐体の正面の通風口を覆うガード部材と、このガード部材の内面に固定されるフィルターとを備えた換気装置において、上記ガード部材の内面に複数の線状凹部を形成し、上記ガード部材の内面端部に複数の線状部材の両端付近をそれぞれ固定して上記複数の線状部材により上記フィルタを上記ガード部材の線状凹部にそれぞれ押圧固定するようにしたことを特徴とする換気装置。
【請求項２】
上記ガード部材の表面に、上記ガード部材内面の線状凹部に対応する線状凸部を形成したことを特徴とする請求項１に記載の換気装置。
【請求項３】
上記ガード部材を上記本体筐体の正面を覆う開口箱状体に形成したことを特徴とする請求項１又は２に記載の換気装置。
【請求項４】
上記ガード部材内面の複数の線状凹部を上記箱状ガード部材の正面内面においてほぼ並行に配列して形成したことを特徴とする請求項３に記載の換気装置。
【請求項５】
上記複数の線状部材を上記箱状ガード部材の内面に沿う形状に形成したことを特徴とする請求項３又は４に記載の換気装置。
【請求項６】
上記箱状ガード部材の側辺部内面に上記複数の線状部材の端部付近をそれぞれ係止する複数の係止部材を設けたことを特徴とする請求項３〜５のいずれかに記載の換気装置。
【請求項７】
上記係止部材として、上記箱状ガード部材の側辺部をコ字状に切り欠いて突片部を形成したことを特徴とする請求項６に記載の換気装置。
【請求項８】
上記係止部材として、上記突片部の両側において上記箱状ガード部材にさらに突起を形成したことを特徴とする請求項７に記載の換気装置。
【請求項９】
上記複数の線状部材の両端部近辺にコ字状の曲げ部を設け、この曲げ部を上記突片部に係合させ、上記突起に上記線状部材を当接させて固定したことを特徴とする請求項８に記載の換気装置。
【請求項１０】
ファンを内蔵し正面に通風孔を有する本体筐体と、複数の通風孔を有し上記本体筐体の正面の通風口を覆うガード部材と、このガード部材の内面に固定されるフィルターとを備えた換気装置の製造方法において、上記ガード部材の内面に複数の線状凹部を形成する工程と、複数の線状部材の両端付近をそれぞれ上記ガード部材の内面に係止し、上記複数の線状部材により上記フィルタを上記ガード部材の線状凹部にそれぞれ押圧固定する工程とを含むことを特徴とする換気装置の製造方法。
【請求項１１】
上記ガード部材の内面に複数の線状凹部を形成する工程と同時に、上記ガード部材の表面に線状凸部を形成することを特徴とする請求項１０に記載の換気装置の製造方法。
【請求項１２】
上記ガード部材を開口箱状体で形成し、その両側辺部において上記ガード部材をコ字状に切り欠いて複数の突片部を形成する工程と、この切り欠きの両側近傍のガード部材に突起を設ける工程と、上記線状部材の両端部近辺にコの字状の曲げ部を設ける工程と、    上記突片部に上記線状部材の曲げ部を係合すると共に、上記突起に上記線状部材を当接させて固定する工程とを備えたことを特徴とする請求項１０又は１１に記載の換気装置の製造方法。
【発明の詳細な説明】
【０００１】
【発明の属する技術分野】
この発明は換気装置及びその製造方法に関し、さらに詳しくは換気装置表面のガード部材にフィルターを固定する構造及び方法の改良に関するものである。
【０００２】
図５及び図６は、従来の換気装置を説明するための図である。図５は換気装置の分解斜視図、図６はそのガード部材の正面図（ａ）及び側断面図（ｂ）である。図５及び図６において、従来の換気装置１０は、風を吸い込む給気型のファン１５を内蔵した本体２０と、この本体２０の前面に取付けられる防塵用の不織布からなる樋状のフィルター３０と、このフィルター３０が内面に固定されるとともに、多数の通気孔４０ａを前面全体に有するパンチグメタルからなる箱状のガード部材４０とから成っている。そして、ガード部材４０の四つの側面部、端部、一つの中央部にマジックテープ４１，４３，４５を介してフィルター３０が固定されている。
【０００３】
上記のように構成された換気装置１０の組立を図５及び図６によって説明する。
フィルター３０とガード部材４０の固定には、まず、ガード部材４０の内面の汚れ、油分を取り除き、四つのマジックテープ４１を側面に貼付固定し、上方及び下方端部にそれぞれ二つのマジックテープ４３を貼付固定し、中央部にマジックテープ４５を固定してから、フィルター３０をマジックテープ４１，４３，４５に押し当てて固定する。次に、このガード部材４０を、本体２０の前面に係合固定して換気装置の組立が完成する。
【０００４】
【発明が解決しようとする課題】
しかしながら、上記従来の換気装置１０では、マジックテープ４１，４３，４５をガード部材４０に貼付するのに、ガード部材４０の内面を特に、丁寧に清掃しなければならないので、煩雑である。加えて、フィルター３０をマジックテープ４１，４３，４５に押し付けて固定しなければならので、作業時間が長くなる。さらに、換気装置１０のサイズが大きくなるとマジックテープ４１，４３，４５の数も増え、固定も確実にできにくい。されに、輸送中にフィルター３０がマジックテープ４１，４３，４５から剥がれ易いという問題点があった。
【０００５】
また、ガード部材４０は、材料がパンチグメタルで多数の孔が穿設されているので、強度的にやや弱いという問題点があった。
【０００６】
この発明は、上記のような課題を解決するためになされたもので、フィルターがガード部材に確実容易に固定され、強度も十分に有する換気装置及びその製造方法を提供することを目的とするものである。
【０００７】
【課題を解決するための手段】
請求項１の発明に係る換気装置は、ファンを内蔵し正面に通風孔を有する本体筐体と、複数の通風孔を有し上記本体筐体の正面の通風口を覆うガード部材と、このガード部材の内面に固定されるフィルターとを備えた換気装置において、上記ガード部材の内面に複数の線状凹部を形成し、上記ガード部材の内面端部に複数の線状部材の両端付近をそれぞれ固定して上記複数の線状部材により上記フィルタを上記ガード部材の線状凹部にそれぞれ押圧固定するようにしたことを特徴とするものである。
【０００８】
また、請求項２の発明に係る換気装置は、上記ガード部材の表面に、上記ガード部材内面の線状凹部に対応する線状凸部を形成したことを特徴とするものである。
【０００９】
また、請求項３の発明に係る換気装置は、上記ガード部材を上記本体筐体の正面を覆う開口箱状体に形成したことを特徴とするものである。
【００１０】
また、請求項４の発明に係る換気装置は、上記ガード部材内面の複数の線状凹部を上記箱状ガード部材の正面内面においてほぼ並行に配列して形成したことを特徴とするものである。
【００１１】
また、請求項５の発明に係る換気装置は、上記複数の線状部材を上記箱状ガード部材の内面に沿う形状に形成したことを特徴とするものである。
【００１２】
また、請求項６の発明に係る換気装置は、上記箱状ガード部材の側辺部内面に上記複数の線状部材の端部付近をそれぞれ係止する複数の係止部材を設けたことを特徴とするものである。
【００１３】
また、請求項７の発明に係る換気装置は、上記係止部材として、上記箱状ガード部材の側辺部をコ字状に切り欠いて突片部を形成したことを特徴とするものである。
【００１４】
また、請求項８の発明に係る換気装置は、上記係止部材として、上記突片部の両側において上記箱状ガード部材にさらに突起を形成したことを特徴とするものである。
【００１５】
また、請求項９の発明に係る換気装置は、上記複数の線状部材の両端部近辺にコ字状の曲げ部を設け、この曲げ部を上記突片部に係合させ、上記突起に上記線状部材を当接させて固定したことを特徴とするものである。
【００１６】
次に、請求項１０の発明に係る換気装置の製造方法は、ファンを内蔵し正面に通風孔を有する本体筐体と、複数の通風孔を有し上記本体筐体の正面の通風口を覆うガード部材と、このガード部材の内面に固定されるフィルターとを備えた換気装置の製造方法において、    上記ガード部材の内面に複数の線状凹部を形成する工程と、複数の線状部材の両端付近をそれぞれ上記ガード部材の内面に係止し、上記複数の線状部材により上記フィルタを上記ガード部材の線状凹部にそれぞれ押圧固定する工程とを含むことを特徴とするものである。
【００１７】
また、請求項１１の発明に係る換気装置の製造方法は、上記ガード部材の内面に複数の線状凹部を形成する工程と同時に、上記ガード部材の表面に線状凸部を形成することを特徴とするものである。
【００１８】
また、請求項１２の発明に係る換気装置の製造方法は、上記ガード部材を開口箱状体で形成し、その両側辺部において上記ガード部材をコ字状に切り欠いて複数の突片部を形成する工程と、この切り欠きの両側近傍のガード部材に突起を設ける工程と、上記線状部材の両端部近辺にコの字状の曲げ部を設ける工程と、上記突片部に上記線状部材の曲げ部を係合すると共に、上記突起に上記線状部材を当接させて固定する工程とを備えたことを特徴とするものである。
【００１９】
【発明の実施の形態】
以下に図面を参照してこの発明の実施の形態について説明する。なお、図中、同一の符号はそれぞれ同一又は相当の部分を示す。
実施の形態１．
図１〜図４は、この発明の実施の形態１について説明するための図であり、図１は換気装置の分解斜視図、図２は図１のガード部材の正面図（ａ）及び側断面図（ｂ）、図３は図１の線状部材の正面図、図４は線状部材とガード部材の固定状態を示す部分斜視図である。
【００２０】
図１に示すように、この実施の形態による換気装置１００は、風を吸い込む給気型のファン１５を内蔵した本体２０と、この本体２０の前面に取付けられる防塵用の不織布からなる樋状のフィルター３０と、このフィルター３０が内面に固定され、多数の通気孔１１０ａを前面全体に有するパンチグメタルからなる箱状のガード部材１１０と、ガード部材１１０に水平に設けられた四つの凹部１１０ｂに係合固定される線状部材としてのワイヤ１２０とから成っている。
【００２１】
次に、図２に示すように、ガード部材１１０は、一端が開口した箱状部材からなり、その内面には互いに並行な水平方向の四つの線状凹部１１０ｂが形成され、対応する表面側には線状凸部１１０ｃが形成されている。また、両側面部において、線状凹部１１０ｂの略延長線上に、四つのコの状の切り欠き１１０ｄを形成して突片部１１０ｅが設けられおり、この切り欠き１１０ｄのそれぞれ両側近傍に二つの突起１１５が立設固定されている。
【００２２】
次に、図３に示すように、線状部材としてのワイヤ１２０は、ガード部材１１０の内面の形状に略一致するように略樋状に曲げられ、各側面部の中央付近に略コの状の曲げ部１２０ｄが設けられ、先端部１２０ｅが蜷局状に曲げられている。
このワイヤ１２０の曲げ部１２０ｄの形状は、図４に示すように、ガード部材１１０の両側面部の切り欠き１１０ｄにワイヤ１２０を係合して突片部１１０ｅに係止できるように形成されている。
【００２３】
上記のように構成された換気装置１００の組立について、図１〜図４を参照して説明する。
先ず、フィルター３０をガード部材１１０に固定する。この固定には、まず、ガード部材１１０の内面にフィルター３０を当てて、四つのワイヤ１１０の平坦部をガード部材１１０の凹部１１０ｂに向かって押圧するようにし、図４に示すように、ワイヤ１２０の曲げ部１２０ｄをガード部材１１０のコの状の切り欠き１１０ｄに挿入して突片部１１０ｅに係合し、その両側の二つの突起１１５にワイヤ１２０を当接して固定する。最後に、本体２０の前面にガード部材４０を係合固定して換気装置１００の組立が完成する。
【００２４】
なお、ガード部材１１０には、内面の線状凹部１１０ｂの裏側に、すなわち、ガード部材１１０の表面側に線状凸部１１０ｃを設けているが、固定強度をそれほど必要としない場合には、この凸部１１０ｃは必ずしも必要でない。
また、ワイヤ１２０の端部の固定は、溶接などの他の固定手段でも良い。
また、換気装置１００は、風を吸い込む給気型のファン１５で説明したが、風を吐き出す排気型でも良いのは勿論である。
【００２５】
以上説明したように、この実施の形態によれば、ガード部材の凹部にフィルターを介して線状部材を係合することよってフィルターを確実容易に固定できる。
【００２６】
【発明の効果】
この発明は以上のように構成されているので、次のような効果を奏する。
請求項１の発明によれば、換気装置のガード部材の内面に複数の線状凹部を形成し、この線状凹部に向かって複数の線状部材を押圧してその間にフィルタを固定するようにしたので、フィルターを確実容易に固定でき、また、換気装置の輸送中でもフィルターがガード部材から外れにくいという効果がある。
【００２７】
請求項２の換気装置によれば、さらに、ガード部材の線状凹部に対応して表面に線状凸部を設けたので、ガード部材の強度を増加できるという効果がある。
【００２８】
請求項３の発明によれば、さらに、ガード部材を開口箱状体に形成したので、ガード部材の強度を増加できるという効果がある。
【００２９】
請求項４の発明によれば、さらに、ガード部材内面に複数の線状凹部をほぼ並行に配列して形成したので、フィルターを確実に固定でき、また、ガード部材の強度を増加できるという効果がある。
【００３０】
請求項５の発明によれば、さらに、複数の線状部材を箱状ガード部材の内面に沿う形状に形成したので、フィルターを確実かつ容易に固定できるという効果がある。
【００３１】
請求項６の発明によれば、さらに、箱状ガード部材の側辺部内面に係止部材を設けて複数の線状部材の端部付近をそれぞれ係止するようにしたので、線状部材の固定が容易にできるという効果がある。
【００３２】
請求項７の発明によれば、さらに、箱状ガード部材の側辺部内面の係止部材として、箱状ガード部材をコ字状に切り欠いて突片部を形成したので、線状部材の固定が容易にできるという効果がある。
【００３３】
請求項８の発明によれば、さらに、箱状ガード部材の側辺部内面の係止部材として、切り欠きと突片部の両側にさらに突起を形成したので、線状部材の固定が容易にできるという効果がある。
【００３４】
請求項９の発明によれば、さらに、複数の線状部材の両端部近辺にコ字状の曲げ部を形成し、この曲げ部を箱状ガード部材の突片部に係合させ、かつ線状部材を箱状ガード部材の突起に当接させて固定したので、線状部材をガード部材に確実容易に固定できるという効果がある。
【００３５】
請求項１０の発明によれば、ガード部材内面の少なくとも正面部全体に線状凹部を設け、この線状凹部に、フィルターの上から線状部材を係合固定するようにしたので、フィルターを確実に固定し、換気装置を簡易に製造できるという効果がある。
【００３６】
請求項１１の発明によれば、さらに、ガード部材に、凹部に対応する凸部を設けるようにしたので、ガード部材の強度を増加し、換気装置を簡易に製造できるという効果がある。
【００３７】
請求項１２の発明によれば、さらに、ガード部材に、側辺部に少なくとも二つのコの字状の切り欠きを有する突片部を設け、この切り欠きの両側近傍にそれぞれ突起を設け、線状部材の側面部にはコの字状の曲げ部を設け、線状部材の曲げ部を切り欠きの突片部に係合固定すると共に、線状部材をガード部材の突起に当接させるようにしたので、線状部材の端部をガード部材に確実に固定し、換気装置を簡易に製造できるという効果がある。
【図面の簡単な説明】
【図１】この発明の実施の形態１による換気装置の分解斜視図である。
【図２】この発明の実施の形態１による換気装置のガード部材の正面図及び断面図である。
【図３】この発明の実施の形態１による換気装置の線状部材の正面図である。
【図４】この発明の実施の形態１による換気装置の線状部材とガード部材との固定状態を示す部分斜視図である。
【図５】従来の換気装置の分解斜視図である。
【図６】従来の換気装置のガード部材の正面図及び断面図である。
【符号の説明】
１５    ファン、  ２０    本体、  ３０    フィルター、  １１０    ガード部材、１１０ａ  通風孔、  １１０ｂ    線状凹部、  １１０ｃ    線状凸部、  １１０ｄ    切り欠き、  １１０ｅ  突片部、  １１５  突起、  １２０    線状部材、  １２０ｄ  曲げ部。
【図１】
0003627127.tif 000002
【図２】
0003627127.tif 000003
【図３】
0003627127.tif 000004
【図４】
0003627127.tif 000005
【図５】
0003627127.tif 000006
【図６】
0003627127.tif 000007